(57)【要約】【課題】  洗浄槽の上面開口部にヒンジを介して開閉自在な蓋体を備え、内部に水平往復運動する被洗浄物保持部材を備えた洗浄装置であって、蓋体を閉じたときのみ蓋体側に設けた駆動装置が保持部材と連結して往復運動するようにし、これにより構造の簡潔化と安全性を高めた洗浄装置を提供する。【解決手段】  前記蓋体３に前記保持部材４を往復移動させる駆動装置５が組み込まれ、蓋体３を閉じたときに駆動装置５の駆動部が保持部材４の一部に着脱自在に係合すべく構成されている構造。【選択図】  図１
2005111348.tif 000002
【特許請求の範囲】
【請求項１】
上面が開口した洗浄槽の上面開口部にヒンジを介して開閉自在な蓋体を備え、洗浄槽内部に被洗浄物を保持する保持部材が水平方向に移動可能に設けられた洗浄装置であって、前記蓋体に前記保持部材を往復移動させる駆動装置が組み込まれ、蓋体を閉じたときに駆動装置の駆動部が保持部材の一部に着脱自在に係合すべく構成されている洗浄装置。
【請求項２】
前記蓋体の開放時には駆動装置の駆動が強制停止するように形成されている請求項１に記載の洗浄装置。
【請求項３】
前記洗浄槽の底面が谷形でその谷底部が洗浄槽の一端から他端に向かって傾斜して形成され、この谷底部全長にわたってスクリュウコンベアーが配置されており、該スクリュウコンベアーが洗浄槽の底部に溜まった沈殿物を傾斜上位側に移動できるように形成されており、傾斜上位側の谷底部に沈殿物排出用の取出口が設けられている請求項１又は請求項２に記載の洗浄装置。
【発明の詳細な説明】
【技術分野】
【０００１】
本発明は、工業製品の部品の洗浄装置に関し、殊に、洗浄槽内で被洗浄物を保持するワークが水平方向に往復動する機能を備えた洗浄装置に関する。
【背景技術】
【０００２】
洗浄槽内で被洗浄物を保持する保持部材が水平方向に往復動して洗浄効率を上げるようにした洗浄装置は一般によく知られている。
【発明の開示】
【発明が解決しようとする課題】
【０００３】
しかし上記の従来タイプのものは、保持部材を往復動させるために、洗浄槽外部に設置したモーター等の駆動部から保持部材に対して洗浄槽の壁面を貫通して駆動軸等の連動部材が設けられているため、構造が複雑化すると共にシール手段が面倒であるといった問題点があった。
【０００４】
また空調機フイルター等の塵芥付着物の多い被洗浄物を洗浄する場合、洗浄槽内にヘドロ等の沈殿物が溜まりやすく、これを取り出すのに洗浄装置の運転を一時中断しなければならなかった。また、沈殿物を取り出すときに高価な洗浄液も同時に排出されて不経済であった。
【０００５】
そこで本発明は、上記の従来課題の解決を簡単な機構で解決することを主たる目的とするものである。
【課題を解決するための手段】
【０００６】
上記目的を達成する為に本発明では次のような技術的手段を講じた。即ち、本発明に係る洗浄装置にあっては、上面が開口した洗浄槽１の上面開口部１ａにヒンジ２を介して開閉自在な蓋体３を備え、洗浄槽１内部に被洗浄物を保持する保持部材４が水平方向に移動可能に設けられた洗浄装置であって、前記蓋体３に前記保持部材４を往復移動させる駆動装置５が組み込まれ、蓋体３を閉じたときに駆動装置５の駆動部が保持部材４の一部に着脱自在に係合すべく構成されている構造とした。前記駆動装置５は蓋体３を開放した時に強制停止するようにするのが好ましい。
【０００７】
又本発明は、上記構成に加えて、前記洗浄槽１の底面が谷形でその谷底部１ｂが洗浄槽１の一端から他端に向かって傾斜して形成され、この谷底部全長にわたってスクリュウコンベアー６が配置されており、該スクリュウコンベアー６が洗浄槽１の底部に溜まった沈殿物を傾斜上位側に移動できるように形成されており、傾斜上位側の谷底部に沈殿物排出用の取出口７が設けられている構造も特徴とする。これにより運転中でも洗浄液と共に洗浄槽の谷底部に溜まった塵芥沈殿物はスクリューコンベアー６を駆動することにより沈殿物のみを傾斜上位側に移動して取出口７から取り出すことができ、この取出口７から下位側の谷底部にある洗浄液は洗浄槽内に残留させることができる。
【発明の効果】
【０００８】
本発明は、前記蓋体３に前記保持部材４を往復移動させる駆動装置５が組み込まれ、蓋体３を閉じたときに駆動装置５の駆動部が保持部材４の一部に着脱自在に係合すべく構成されているから、蓋体をあけた時には保持部材４の運動が完全に絶たれて停止し、これにより作業者の安全を確実に保持できると共に、運転時には洗浄槽の上部で蓋体３に設けた駆動部５と保持部材４とが係合するものであるから連結部分への洗浄液の飛散が少なくて簡単なシール手段で済む、といった効果がある。
【０００９】
また、請求項３の構成とすることにより、運転中でも洗浄液と共に洗浄槽の谷底部に溜まった塵芥沈殿物はスクリューコンベアー６を駆動することにより沈殿物のみを傾斜上位側に移動して取出口７から取り出すことができ、この取出口７から下位側の谷底部にある洗浄液は洗浄槽内に残留させることができて経済的である、といった効果がある。
【実施例】
【００１０】
図１〜図３は本発明の洗浄装置の実施例を示すものである。符号１は上面が開口した洗浄槽を示すものであって、これの上面開口部１ａにヒンジ２を介して蓋体３が開閉自在に設けられている。又、洗浄槽１の内部には被洗浄物を保持する保持部材４がレール８を介して水平方向に往復移動可能に設けられており、該保持手段４に保持された被洗浄物に向かって洗浄液を噴射するスプレー群９が洗浄槽１内で相対して設置されている。スプレー群９は洗浄槽１の底部に開口させた循環口１１から循環ポンプＰを介して循環ダクト１２に連結されている。
【００１１】
蓋体３には、図３で詳しく示すように、前記保持部材４を往復移動させる駆動装置５が組み込まれており、蓋体３を閉じたときに駆動装置５の駆動部５ｃが保持部材４の上端係合部４ａに着脱自在に係合すべく構成されている。前記駆動装置５はモーター５ａから内蔵するラックとピニオンにメカニズムを介してシャフト５ｂを左右に往復水平運動する構造となっており、シャフト５ｃ先端部に前記駆動部５ｃが固定されている。このような構造とすることにより、蓋体３をあけると保持部材４の運動が完全に絶たれて停止し、これにより作業者の安全を確保することができる。尚この場合、保持部材４の運動が停止しても、洗浄装置の運転スイッチがONであれば蓋体１側で駆動装置５が運動しているので、蓋体３をあけたときに駆動装置５が強制停止するように形成するのが好ましい。
【００１２】
更に本実施例にあっては、前記洗浄槽１の底面が両辺が滑らかに傾斜した谷形でその谷底部１ｂが洗浄槽１の一端から他端に向かって傾斜して形成されており、この谷底部１ｂの全長にわたってモーターＭによって駆動するスクリュウコンベアー６が配置されており、該スクリュウコンベアー６が洗浄槽１の底部に溜まった沈殿物を傾斜上位側に移動できるように形成されている。スクリューコンベアー６の傾斜上位側の谷底部に沈殿物排出用の取出口７が設けられており、該取出口７からバルブＶ１を介して排出ダクト１０が設けられている。従って洗浄装置の運転中でも洗浄液と共に洗浄槽１の谷底部１ａに溜まった塵芥沈殿物はスクリューコンベアー６を駆動することにより沈殿物のみを谷側部傾斜上位側に移動して取出口７から取り出すことができ、この取出口７から下位側の谷底部１ａにある洗浄液は洗浄槽内に残留させることができる。尚、洗浄槽１の谷底部１ａの傾斜下位側には洗浄液排出口１２が設けられており、使用済みの洗浄液を該排出口１２かバルブＶ２を介して取り出すことができるように形成されている。また。
【００１３】
以上本発明の実施例について説明したが、本発明は必ずしもこれらの実施例構造のみに限定されるものではない。例えば前記スクリューコンベアー６を駆動する手段は、モーターＭに替えてハンドル等で手動で駆動するようにすることも可能である。その他本発明では、その構成要件を備え、かつ本発明の目的を達成し、下記の効果を奏する範囲内において適宜改変して実施することができるものである。
【産業上の利用可能性】
【００１４】
本発明では各種工業部品全般の洗浄に使用でき、殊に塵芥付着物の多い空調機フイルターの洗浄に適している。
【図面の簡単な説明】
【００１５】
【図１】本発明に係る洗浄装置の一実施例を示す一部断面側面図。
【図２】上記洗浄装置の一部断面正面図。
【図３】要部を拡大した断面図。
【符号の説明】
【００１６】
１  洗浄槽
１ａ  開口部
１ｂ  谷底部
２  ヒンジ
３  蓋体
４  保持部材
５  駆動装置
６  スクリューコンベアー
７  沈殿物取出口
【図１】
2005111348.tif 000003
【図２】
2005111348.tif 000004
【図３】
2005111348.tif 000005